(57)【特許請求の範囲】
【請求項１】
遊技盤(I)を収容セットした中枠(B)の前面側に、前記遊技盤(I)を透視保護する合成樹脂製の枠本体(60)を主体とした前枠(C)が開閉可能に配設され、パチンコ球を遊技媒体として遊技を行なうパチンコ遊技機(P)において、
前記中枠(B)は、正面左側の上隅角部および下隅角部で外枠(A)に着脱および開閉可能に連結され、導電剤入りの合成樹脂材から一体成形されてアース部(131)に対して電気的に導通されると共に、前面左端の上下に離間する位置に連結金具(40,41)が固定され、
前記前枠(C)は、前記枠本体(60)の前面に、帯電防止剤入りの合成樹脂材から成形した複数の樹脂成形部材(62,63,64)を組み合わせて構成され、
前記枠本体(60)の裏側には、前記中枠(B)における上・下の連結金具(40,41)に係合して前枠(C)を着脱および開閉可能に組付ける上・下の連結金具(65,66)が取着されて、前記上・下の連結金具(40,41)と上・下の連結金具(65,66)との接触により上・下の連結金具(65,66)が中枠(B)に対して電気的に導通すると共に、該上・下の連結金具(65,66)にガラス板を保持した金属製のガラス枠(68)が枢支されて、両連結金具(65,66)とガラス枠(68)とが電気的に導通するよう構成され、
また前記枠本体(60)の裏側には、前記上の連結金具(65)に対して電気的に導通された上の前枠鍵受金具(69)と、前記下の連結金具(66)およびガラス枠(68)に対して電気的に導通された下の前枠鍵受金具(70)とが配設されて、前記中枠(B)に対して前枠(C)を閉成した際に、該上・下の前枠鍵受金具(69,70)と中枠(B)に設けられた施錠装置(L)の施錠金具(29)とが係合して電気的に導通するよう構成され、
前記中枠(B)の裏側には、中央部に遊技盤裏面の点検用の窓口(116)が開口された帯電防止剤入りの合成樹脂材からなる機構セット盤(H)が装備されると共に、該機構セット盤(H)における窓口(116)の上部には、導電剤入りの合成樹脂材により形成されて機外の球補給設備からパチンコ球が供給される球容器(93)が配設され、
前記球容器(93)は、前記中枠(B)に配設された前記施錠装置(L)の第１ロック金具(28)に対して導電部材(154)を介して電気的に導通され、
前記機構セット盤(H)は、前記球容器(93)からパチンコ球が流入する球整流路(94)を形成した導電剤入りの合成樹脂材からなる球整流路部材(95)と、球整流路(94)からパチンコ球が流入する球送出路(96)を形成した導電剤入りの合成樹脂材からなる球送出路部材(97)と、ケース部材が導電剤入りの合成樹脂材から形成され、球送出路(96)から到来するパチンコ球を上球皿(D)側へ給出する球払出装置(J1,J2)と、前記球払出装置(J1,J2)から払出されたパチンコ球が通出する導電剤入りの合成樹脂材からなる球払出路部材(109)とが前記窓口(116)の上部から側部に亘る外周囲部に配設されて、当該球整流路部材(95)、球送出路部材(97)、球払出装置(J1,J2)のケース部材および球払出路部材(109)の夫々を電気的に導通するよう構成され、
前記アース部(131)は、前記機構セット盤(H)の前記窓口(116)に開閉および着脱可能に取着された裏カバー部材(120)に配置されて当該パチンコ遊技機(P)裏側の略中央部に位置し、外部アース線(144)に接続するピン(140a)と、当該遊技機の電源側に接続するピン(140c)とを有する電源基板であり、
前記電源基板(131)における前記外部アース線(144)に接続するピン(140a)には、前記中枠(B)の背面右下部位に接続されると共に該中枠(B)の背面右側に沿って配設される導電部材(156)が接続され、
前記電源基板(131)における遊技機の電源側に接続するピン(140c)には、前記球整流路部材(95)、球送出路部材(97)、球払出装置(J1,J2)のケース部材および球払出路部材(109)に電気的に導通して、前記中枠(B)の背面右側に沿って配設される導電部材(153)が接続されるよう構成した
ことを特徴とするパチンコ遊技機。
【請求項２】
中枠(B)の前面側に配設された上球皿(D)に貯留されて、球送り装置(G)の球送り作動に基づき発射レール(36)の発射位置へ供給するパチンコ球を遊技媒体として遊技を行なうパチンコ遊技機(P)において、
前記中枠(B)は、正面左側の上隅角部および下隅角部で外枠(A)に着脱および開閉可能に連結され、導電剤入りの合成樹脂材から一体形成されてアース部(131)に対して電気的に導通されると共に、前記上球皿(D)は、帯電防止剤入りの合成樹脂材から成形した複数の樹脂成形部材(51,52)を組み合わせて構成され、
前記中枠(B)の前面には、左端に連結金具(42)が固定されると共に、右端に施錠金具(30)が配設され、
前記上球皿(D)の裏側には、前記上球皿(D)の左端に取着されて前記中枠(B)における連結金具(42)に係合し、該上球皿(D)を着脱および開閉可能に組み付ける連結金具(53)と、前記上球皿(D)の右端に配設されて前記中枠(B)に設けた施錠金具(30)に係脱可能に係合する鍵受金具(55)と、前記連結金具(53)および鍵受金具(55)に接触して電気的に導通する防犯金属板(56)と、前記上球皿(D)の皿本体(51)に敷設されて該皿本体(51)に貯留されたパチンコ球が接触し、前記防犯金属板(56)に接触して電気的に導通する球流し金具(57)と、導電剤入りの合成樹脂材から一体成形された前記球送り装置(G)の樹脂ケースと、が設けられ、
前記防犯金属板(56)を介して前記連結金具(53)と鍵受金具(55)と球流し金具(57)と前記球送り装置(G)の樹脂ケースとが電気的に導通すると共に、前記連結金具(42)と連結金具(53)との接触により連結金具(53)が中枠(B)に対して電気的に導通し、更に、前記中枠(B)に対して上球皿(D)を閉成した際には、前記鍵受金具(55)と施錠金具(30)とが係合して電気的に導通するよう構成され、
前記中枠(B)の裏側には、中央部に遊技盤裏面の点検用の窓口(116)が開口された帯電防止剤入りの合成樹脂材からなる機構セット盤(H)が装備されると共に、該機構セット盤(H)における窓口(116)の上部には、導電剤入りの合成樹脂材により形成されて機外の球補給設備からパチンコ球が供給される球容器(93)が配設され、
前記球容器(93)は、前記中枠(B)に配設された施錠装置(L)の第１ロック金具(28)に対して導電部材(154)を介して電気的に導通され、
前記機構セット盤(H)は、前記球容器(93)からパチンコ球が流入する球整流路(94)を形成した導電剤入りの合成樹脂材からなる球整流路部材(95)と、球整流路(94)からパチンコ球が流入する球送出路(96)を形成した導電剤入りの合成樹脂材からなる球送出路部材(97)と、ケース部材が導電剤入りの合成樹脂材から形成され、球送出路(96)から到来するパチンコ球を上球皿(D)側へ給出する球払出装置(J1,J2)と、前記球払出装置(J1,J2)から払出されたパチンコ球が通出する導電剤入りの合成樹脂材からなる球払出路部材(109)とが前記窓口(116)の上部から側部に亘る外周囲部に配設されて、当該球整流路部材(95)、球送出路部材(97)、球払出装置(J1,J2)のケース部材および球払出路部材(109)の夫々を電気的に導通するよう構成され、
前記アース部(131)は、前記機構セット盤(H)の前記窓口(116)に開閉および着脱可能に取着された裏カバー部材(120)に配置されて当該パチンコ遊技機(P)裏側の略中央部に位置し、外部アース線(144)に接続するピン(140a)と、当該遊技機の電源側に接続するピン(140c)とを有する電源基板であり、
前記電源基板(131)における前記外部アース線(144)に接続するピン(140a)には、前記中枠(B)の背面右下部位に接続されると共に該中枠(B)の背面右側に沿って配設される導電部材(156)が接続され、
前記電源基板(131)における遊技機の電源側に接続するピン(140c)には、前記球整流路部材(95)、球送出路部材(97)、球払出装置(J1,J2)のケース部材および球払出路部材(109)に電気的に導通して、前記中枠(B)の背面右側に沿って配設される導電部材(153)が接続されるよう構成した
ことを特徴とするパチンコ遊技機。
【発明の詳細な説明】
【０００１】
【発明の属する技術分野】
この発明は、パチンコ遊技機に関し、更に詳細には、パチンコ球を遊技媒体として遊技を行なう際に発生する静電気を好適にアースすることで適切なノイズ対策を図ったパチンコ遊技機に関するものである。
【０００２】
【従来の技術】
パチンコ機やアレンジボール機に代表されるこの種のパチンコ遊技機は、遊技媒体としてのパチンコ球を使用してパチンコ遊技を行なうようになっている。このパチンコ遊技機は、例えば図１９および図２０に示すように、矩形枠体としての外枠Ａの開口前面側に対して、中枠Ｂが連結支持手段および施錠手段を利用して着脱および開放可能に組付けられている。そして中枠Ｂの前側部分には、ガラス板６７を組付けた横開き式の前枠Ｃと上球皿Ｄが夫々着脱および開放可能に組付けられると共に、該上球皿Ｄの後側に電動式の球送り装置(図示せず)等がセットされている。また、前記中枠Ｂの下部に下球皿Ｅおよび打球発射装置Ｆ等が設置されると共に、該中枠Ｂの裏側に機構セット盤Ｈ等が装備され、更に該中枠Ｂの後側に設けた保持枠２２の正面内部に、所要の遊技領域７４を構成した遊技盤Ｉが着脱交換可能にセットされる。なお、貸球の払出し制御に必要とされる球貸しユニットＫが、パチンコ遊技機Ｐの側方(外枠Ａの隣接部位)に設置され、後述する払出制御装置１２３と接続されている。
【０００３】
また前記機構セット盤Ｈは、中枠Ｂ裏側に位置する遊技盤Ｉセット用の前記保持枠２２の裏側に着脱可能に装備され、該保持枠２２に対応し得る略矩形状に樹脂成形された本体９０の中央部に遊技盤裏面の点検用の窓口１１６が開口され、これに裏カバー部材１２０が開閉および着脱可能に取着されている。そして、前記窓口１１６の上部から右側部に亘る外周囲部に、球容器９３と、球整流路９４を形成する球整流路部材９５と、球送出路９６を形成する球送出路部材９７とから構成される球貯留排出経路部９１等が配設され、該球貯留排出経路部９１の下側に、カセット形態とされる電動制御式の第１球払出装置Ｊ１(貸球用)および第２球払出装置Ｊ２(賞球用)が設置される一方、これら球払出装置Ｊ１,Ｊ２の下方に該装置Ｊ１,Ｊ２から払出された貸球および賞球を前記上球皿Ｄまたは下球皿Ｅへ給出する球払出路１０５が形成されている。これにより、図示しない球補給設備から補給されたパチンコ球は、貯留球として前記球貯留排出経路部９１内に一旦貯留された後、第１、第２球払出装置Ｊ１,Ｊ２の作動により貸球または賞球として払出されるようになっている。一方、機構セット盤Ｈの右端には、前記球払出装置Ｊ１,Ｊ２の右側方に上端開口すると共に機外へ下端開口した球排出路１１７が垂下形成されており、球抜きユニット９８での所要操作により球貯留排出経路部９１内の貯留球を機外へ通出案内するようになっている。
【０００４】
なお、機構セット盤Ｈのその他の構成として、前記窓口１１６の下方に、アウト球およびセーフ球を機外へ排出する球通出経路が形成される他に、セーフ球検出処理装置,賞球満杯検出装置および貸球用の検出スイッチ(何れも図示せず)等が夫々設置され、そして本体９０の上方隅端部にターミナル基板(集中基板ともいう)１２１が設置されている。また前記窓口１１６の下方には、パチンコ遊技機Ｐを全体的に制御するメイン基板を収容した主制御装置１２２や、前記球払出装置Ｊ１,Ｊ２を制御する払出制御基板を収容した払出制御装置１２３、球貸しユニットＫと接続して各種データの入力および出力を行なうためのコネクタを備えたインターフェースボード１２５、電源分配基板１２４等が所要位置に設置固定される一方、前記裏カバー部材１２０の背面に電源基板(アース部)１３１を収容した電源装置１３０が設置固定されている。なお、前記中枠Ｂの背面左下部に前記打球発射装置Ｆを制御する発射制御基板を収容した発射制御装置１２６、該中枠Ｂの背面右下部に前記遊技盤Ｉでのパチンコゲームに相応した効果音を発生制御する音制御基板を収容した音制御装置１２７が設置固定されている。
【０００５】
前述のように構成されたパチンコ遊技機Ｐでは、遊技ホール内の設置枠台(「島設備」)に縦向きの姿勢で設置した後、機外の球補給設備から球貯留排出経路部９１における前記球容器９３内へパチンコ球が供給され、パチンコ球は球容器９３から球整流路９４および球送出路９６を介して第１および第２球払出装置Ｊ１,Ｊ２まで到来し、貯留球として該球貯留排出経路部９１内へ貯留される。貯留球が正常に貯留された状態において、当該パチンコ遊技機Ｐでのパチンコ遊技に先立ち、遊技者が貸球用カードおよび前記球貸しユニットＫを利用して適正な球貸し操作をした場合には、この操作に応答して第１球払出装置Ｊ１が作動制御されることにより、球貯留排出経路部９１内の所定数の貯留球が貸球として払出され、前記球払出路１０５から前記上球皿Ｄ側へ給出される。
【０００６】
そして、遊技者が前記打球発射装置Ｆにより所要の打球操作を行なった際には、前記上球皿Ｄに給出された貸球が遊技球として前記球送り装置を経て発射位置へ順次供給され、打球発射装置Ｆの打球動作に基づき、各遊技球は前記遊技盤Ｉの遊技領域７４内へ打出される。ここで、前記遊技盤Ｉ内でパチンコゲームが展開されている途中で入賞球が発生した場合には、これに応答して前記第２球払出装置Ｊ２が作動制御されることにより、所定数の貯留球が賞球として前記上球皿Ｄ側へ給出され、該上球皿Ｄが満杯となった後には下球皿Ｅ側へ給出される。
【０００７】
【発明が解決しようとする課題】
ところで、前述した遊技媒体としてのパチンコ球は、研磨装置による洗浄・研磨時や球補給設備内を移動するに際し、パチンコ球同士が相互に擦れ合ったり、球補給設備と擦れ合うことで静電気を帯電し易くなっている。このため前述したパチンコ遊技機Ｐでは、静電気を帯電した状態のパチンコ球が球補給設備から前記球貯留排出経路部９１へ補給されることが多いので、外部静電気をアースしてノイズ対策を図るようにした技術提案が多くなされている。一方、補給されたパチンコ球が当該パチンコ遊技機Ｐ内を移動するに際しても、パチンコ球同士の接触や前記各構成部材との接触により静電気が発生することがあるから、遊技機内で発生した内部静電気も同様にアースしてノイズ対策を図るようにした技術提案もなされている。
【０００８】
しかしながら、近年に設計・製作される新型のパチンコ遊技機Ｐは、合成樹脂成形部品の使用比率が一段と増大していると共に静電気の発生源も増加していることから非常に帯電し易くなっており、今まで提案されている様々なアース態様では、全ての静電気を確実にアースして確実なノイズ対策を図ることが不可能な現状となっている。従って、近年に生産されるパチンコ遊技機Ｐでは、静電気を原因としたノイズの発生により、該遊技機Ｐの構成機器を制御する前記各装置１２２,１２３,１２６,１２７の基板や各種基板１２１,１２４,１２５等に影響を及ぼして誤作動や故障が発生する事例が増加しており、静電気の確実なアース除去による適切なノイズ対策技術の確立が希求されている。
【０００９】
【発明の目的】
本発明は、前述した従来の技術に内在している前記課題に鑑み、これを好適に解決するべく提案されたものであって、遊技媒体としてのパチンコ球や遊技機自体に帯電した静電気を確実かつ適切にアースして、適切なノイズ対策を図り得るよう構成したパチンコ遊技機を提供することを目的とする。
【００１０】
【課題を解決するための手段】
前述した課題を克服し、所期の目的を好適に達成するため本発明は、
遊技盤を収容セットした中枠の前面側に、前記遊技盤を透視保護する合成樹脂製の枠本体を主体とした前枠が開閉可能に配設され、パチンコ球を遊技媒体として遊技を行なうパチンコ遊技機において、
前記中枠は、正面左側の上隅角部および下隅角部で外枠に着脱および開閉可能に連結され、導電剤入りの合成樹脂材から一体成形されてアース部に対して電気的に導通されると共に、前面左端の上下に離間する位置に連結金具が固定され、
前記前枠は、前記枠本体の前面に、帯電防止剤入りの合成樹脂材から成形した複数の樹脂成形部材を組み合わせて構成され、
前記枠本体の裏側には、前記中枠における上・下の連結金具に係合して前枠を着脱および開閉可能に組付ける上・下の連結金具が取着されて、前記上・下の連結金具と上・下の連結金具との接触により上・下の連結金具が中枠に対して電気的に導通すると共に、該上・下の連結金具にガラス板を保持した金属製のガラス枠が枢支されて、両連結金具とガラス枠とが電気的に導通するよう構成され、
また前記枠本体の裏側には、前記上の連結金具に対して電気的に導通された上の前枠鍵受金具と、前記下の連結金具およびガラス枠に対して電気的に導通された下の前枠鍵受金具とが配設されて、前記中枠に対して前枠を閉成した際に、該上・下の前枠鍵受金具と中枠に設けられた施錠装置の施錠金具とが係合して電気的に導通するよう構成され、
前記中枠の裏側には、中央部に遊技盤裏面の点検用の窓口が開口された帯電防止剤入りの合成樹脂材からなる機構セット盤が装備されると共に、該機構セット盤における窓口の上部には、導電剤入りの合成樹脂材により形成されて機外の球補給設備からパチンコ球が供給される球容器が配設され、
前記球容器は、前記中枠に配設された前記施錠装置の第１ロック金具に対して導電部材を介して電気的に導通され、
前記機構セット盤は、前記球容器からパチンコ球が流入する球整流路を形成した導電剤入りの合成樹脂材からなる球整流路部材と、球整流路からパチンコ球が流入する球送出路を形成した導電剤入りの合成樹脂材からなる球送出路部材と、ケース部材が導電剤入りの合成樹脂材から形成され、球送出路から到来するパチンコ球を上球皿側へ給出する球払出装置と、前記球払出装置から払出されたパチンコ球が通出する導電剤入りの合成樹脂材からなる球払出路部材とが前記窓口の上部から側部に亘る外周囲部に配設されて、当該球整流路部材、球送出路部材、球払出装置のケース部材および球払出路部材の夫々を電気的に導通するよう構成され、
前記アース部は、前記機構セット盤の前記窓口に開閉および着脱可能に取着された裏カバー部材に配置されて当該パチンコ遊技機裏側の略中央部に位置し、外部アース線に接続するピンと、当該遊技機の電源側に接続するピンとを有する電源基板であり、
前記電源基板における前記外部アース線に接続するピンには、前記中枠の背面右下部位に接続されると共に該中枠の背面右側に沿って配設される導電部材が接続され、
前記電源基板における遊技機の電源側に接続するピンには、前記球整流路部材、球送出路部材、球払出装置のケース部材および球払出路部材に電気的に導通して、前記中枠の背面右側に沿って配設される導電部材が接続されるよう構成したことを特徴とする。
同じく、前述した課題を克服し、所期の目的を好適に達成するため別の発明は、
中枠の前面側に配設された上球皿に貯留されて、球送り装置の球送り作動に基づき発射レールの発射位置へ供給するパチンコ球を遊技媒体として遊技を行なうパチンコ遊技機において、
前記中枠は、正面左側の上隅角部および下隅角部で外枠に着脱および開閉可能に連結され、導電剤入りの合成樹脂材から一体形成されてアース部に対して電気的に導通されると共に、前記上球皿は、帯電防止剤入りの合成樹脂材から成形した複数の樹脂成形部材を組み合わせて構成され、
前記中枠の前面には、左端に連結金具が固定されると共に、右端に施錠金具が配設され、
前記上球皿の裏側には、前記上球皿の左端に取着されて前記中枠における連結金具に係合し、該上球皿を着脱および開閉可能に組み付ける連結金具と、前記上球皿の右端に配設されて前記中枠に設けた施錠金具に係脱可能に係合する鍵受金具と、前記連結金具および鍵受金具に接触して電気的に導通する防犯金属板と、前記上球皿の皿本体に敷設されて該皿本体に貯留されたパチンコ球が接触し、前記防犯金属板に接触して電気的に導通する球流し金具と、導電剤入りの合成樹脂材から一体成形された前記球送り装置の樹脂ケースと、が設けられ、
前記防犯金属板を介して前記連結金具と鍵受金具と球流し金具と前記球送り装置の樹脂ケースとが電気的に導通すると共に、前記連結金具と連結金具との接触により連結金具が中枠に対して電気的に導通し、更に、前記中枠に対して上球皿を閉成した際には、前記鍵受金具と施錠金具とが係合して電気的に導通するよう構成され、
前記中枠の裏側には、中央部に遊技盤裏面の点検用の窓口が開口された帯電防止剤入りの合成樹脂材からなる機構セット盤が装備されると共に、該機構セット盤における窓口の上部には、導電剤入りの合成樹脂材により形成されて機外の球補給設備からパチンコ球が供給される球容器が配設され、
前記球容器は、前記中枠に配設された施錠装置の第１ロック金具に対して導電部材を介して電気的に導通され、
前記機構セット盤は、前記球容器からパチンコ球が流入する球整流路を形成した導電剤入りの合成樹脂材からなる球整流路部材と、球整流路からパチンコ球が流入する球送出路を形成した導電剤入りの合成樹脂材からなる球送出路部材と、ケース部材が導電剤入りの合成樹脂材から形成され、球送出路から到来するパチンコ球を上球皿側へ給出する球払出装置と、前記球払出装置から払出されたパチンコ球が通出する導電剤入りの合成樹脂材からなる球払出路部材とが前記窓口の上部から側部に亘る外周囲部に配設されて、当該球整流路部材、球送出路部材、球払出装置のケース部材および球払出路部材の夫々を電気的に導通するよう構成され、
前記アース部は、前記機構セット盤の前記窓口に開閉および着脱可能に取着された裏カバー部材に配置されて当該パチンコ遊技機裏側の略中央部に位置し、外部アース線に接続するピンと、当該遊技機の電源側に接続するピンとを有する電源基板であり、
前記電源基板における前記外部アース線に接続するピンには、前記中枠の背面右下部位に接続されると共に該中枠の背面右側に沿って配設される導電部材が接続され、
前記電源基板における遊技機の電源側に接続するピンには、前記球整流路部材、球送出路部材、球払出装置のケース部材および球払出路部材に電気的に導通して、前記中枠の背面右側に沿って配設される導電部材が接続されるよう構成したことを特徴とする。
【００１１】
【作用】
中枠を導電剤入りの合成樹脂材から一体成形して、当該遊技機の電源基板(アース部)と該中枠とを電気的に導通させたことで、中枠に帯電した静電気を、該電源基板を介して遊技機の外部または電源(ＡＣ２４Ｖ)へ放電させ得る。
このもとで、機構セット盤に配設された球容器を導電剤入りの合成樹脂材により形成して、施錠装置および導電部材を介して該球容器と中枠とを電気的に導通することで、機外の球補給設備から球容器へ補給されるパチンコ球が帯電していた静電気を、中枠を通して電源基板へゆっくりと放電させることができ、複写ノイズの発生等を防止し得る。
そして、中枠における左端の上下に離間する位置に連結金具を固定すると共に、前枠における合成樹脂製の枠本体に取付けた上・下の連結金具を中枠における上・下の連結金具に係合して上・下の連結金具が中枠に対して電気的に導通するよう構成すると共に、該上・下の連結金具にガラス板を保持した金属製のガラス枠を枢支して、両連結金具とガラス枠とを電気的に導通することで、これら枠本体、両連結金具およびガラス枠に帯電した静電気を、中枠を通して電源基板へゆっくりと放電させることができ、複写ノイズの発生等を防止し得る。
また、上球皿に取付けた連結金具、鍵受金具、防犯金属板、球流し金具、球送り装置の樹脂ケースを相互連結すると共に、導電剤入りの合成樹脂材から一体成形された中枠を介して、該連結金具、鍵受金具、防犯金属板、球流し金具、球送り装置の樹脂ケースと電源基板(アース部)との電気的導通を図ったことで、機裏側の球払出装置から払出されたパチンコ球が静電気を帯電していた場合は、該パチンコ球が上球皿に給出された時点で該静電気を電源基板へ放電させる一方、球送り装置を通過する際に発生する静電気も、中枠を通してゆっくりと電源基板へ放電されるようになり、該静電気が一気に流れることによる複写ノイズの発生が抑制される。
更に、機構セット盤に配設した球整流路部材、球送出路部材、球払出装置のケース部材および球払出路部材を、導電部材を介して電源基板と電気的に導通させたことで、これら球整流路部材、球送出路部材、球払出装置のケース部材および球払出路部材内を通過するパチンコ球が帯電していた静電気を、電源基板へ放電させることができる。
【００１２】
【発明の実施の形態】
次に、本発明に係るパチンコ遊技機につき、好適な実施例を挙げ、添付図面を参照しながら以下詳細に説明する。なお本実施例では、貸球用のカードおよび球貸しユニットを利用して貯留球を貸出し得るカード式パチンコ遊技機を例とし、図１９および図２０をもとに説明したパチンコ遊技機Ｐと同一部材、部品および同一機器には同一の符号で指示する。
【００１３】
本実施例のパチンコ遊技機Ｐは、当該遊技機Ｐを構成する前記中枠Ｂ、前枠Ｃ、上球皿Ｄ、下球皿Ｅ、遊技盤Ｉ、機構セット盤Ｈ等の構成部材と、これら各構成部材Ｂ,Ｃ,Ｄ,Ｅ,Ｉ,Ｈに配設される各種の付属部材や部品とを、導電剤入りの合成樹脂材および／または帯電防止剤入りの合成樹脂材から成形する一方、各構成部材Ｂ,Ｃ,Ｄ,Ｅ,Ｉ,Ｈおよび付属部材・部品を、成形金具や金属板およびアース線等の導電性を有する部材を介して、裏カバー部材１２０に設置した前記電源基板１３１へ集約的に接続するように構成されている。これにより、パチンコ遊技機Ｐに供給されるパチンコ球に帯電される外部静電気や、該パチンコ球が機内を移動する際に発生する内部静電気を、前記電源基板１３１を介して機外(島設備等)または当該遊技機の電源(ＡＣ２４Ｖ)へアースすることにより、静電気を起因としたノイズ発生を好適に防止するように構成されている。そこで次に、本実施例のパチンコ遊技機Ｐに実施される静電気のアース技術につき説明する。
【００１４】
(外枠)
前記外枠Ａは、例えば図１および図４に示すように、上下および左右の４本の枠部材１０,１３,１１,１２を枠組み連結して縦長方形に構成され、全ての枠部材１０,１３,１１,１２によって画成される開口前面域に前記中枠Ｂを整合し得るようになっている。そして、正面左側の上隅角部および下隅角部に、前記前枠Ｃを着脱および開閉可能に連結するための開閉連結部材１４,１４が取着されている。なお本実施例に係る外枠Ａは、木材により成形された上枠部材１０および左枠部材１１を共通用として、合成樹脂材により成形された右枠部材１２および下枠部材１３を２通りのサイズのものに置換連結することにより、一般に「関東枠、関西枠」と呼称区分されている各タイプに変更し得るようになっている。また右枠部材１２の内側面には、中枠Ｂに配設した施錠装置Ｌの第１ロック金具２８が係脱可能に係止する中枠鍵受金具１５,１５が配設されている。なお、前記右枠部材１２および下枠部材１３は、必要に応じて帯電防止剤入りの合成樹脂材から成形してもよい。
【００１５】
(中枠)
前記中枠Ｂは、図４〜図７に示すように、例えば導電性カーボン質材料を混入させたアクリロニトリルブタジエンスチレン(以下「ＡＢＳ」)材から一体成形されて全体が導電性を有しており、前記外枠Ａの開口前面域に整合する外形サイズに成形されて内側に正面縦長方形の窓枠口２１を開口した枠体２０と、この枠体２０の裏側に一体成形されて窓枠口２１の正面内部に臨む遊技盤用のセット口２３を開口した保持枠２２とが前後に連設された内外二重形態とされている。前記枠体２０においては、窓枠口２１下部に下球皿Ｅや打球発射装置Ｆの打球発射部Ｆ２等を設置するための設置盤２４が成形され、該設置盤２４の略中央部には下球皿Ｅに連通する賞球用の球給出口２５が開設されている。そして前記枠体２０の右縁前面側には、施錠装置Ｌにおける前鍵ベース２６が設置されると共に、該枠体２０の右縁背面側には、前記中枠鍵受金具１５,１５に係脱可能に係止する前記第１ロック金具２８を支持した後鍵ベース２７およびシリンダ錠(図示せず)が配設される一方、窓枠口２１に臨む右側端面には、前枠Ｃを中枠Ｂに閉成ロックする第２ロック金具２９および前記上球皿Ｄを中枠Ｂに閉成ロックする第３ロック金具３０が臨んでいる。
【００１６】
一方、前記保持枠２２においては、図４、図５および図７に示すように、窓枠口２１の下部内側に位置する遊技補助盤３１が一体成形されており、この遊技補助盤３１の上端縁を基準にして前記セット口２３が開設されている。そして、遊技補助盤３１の正面左上に遊技球用の球給出口３２が開設される一方、該遊技補助盤３１の前面側に、ファール球回収路部材３３、スピーカ３４を内蔵したスピーカケース３５および発射レール３６等が取着される一方、前記遊技補助盤３１の裏面側には、アウト路３７が形成されると共に、前記機構セット盤Ｈが当接する裏当て板３８が取着されるようになっている(図６)。なお、前記ファール球回収路部材３３およびスピーカケース３５は、カーボンチップ入りのＡＢＳ材から所要形状に一体成形されて導電性を有し、また前記発射レール３６の樹脂部品３９も、カーボンチップ入りのポリプロピレン(以下「ＰＰ」)材から所要形状に成形されて導電性を有している。更に前記裏当て板３８は、カーボンチップ入りのＰＰ材から所要形状に一体成形されて導電性を有しており、球給出口３２に整合する開口部４４等が設けられている。
【００１７】
(下球皿)
実施例のパチンコ遊技機Ｐにおける下球皿Ｅは、図４、図７および図９に示すように、横長方形のセット盤部４５、パチンコ球を収容保持する皿本体４６および横長ラウンド形状の外郭体４７等、帯電防止剤入りのＡＢＳ材等から成形した複数の樹脂成形部材を組み合わせてユニット化され、前記中枠Ｂ下部の前記設置盤２４前面に水平位置決め条件で組付けられる。そして、外郭体４７の上下面が水平に成形されていることにおいて、その上面に前記上球皿Ｄを水平に載置したままセット保持し得るようになっている。また、外枠体２０の上面右側に構成したセット支持部材４８に、前記打球発射装置Ｆにおける打球操作部Ｆ１が組付けセットされ、また外枠体２０の正面左部に灰皿４９が装備されている。なお、打球発射装置Ｆを構成する前記打球操作部Ｆ１や前記打球発射部Ｆ２等の樹脂部分は帯電防止剤入りのＡＢＳ材から形成される一方、前記灰皿４９は、耐熱性に優れたメラミン樹脂から成形されている。
【００１８】
(上球皿)
前記上球皿Ｄは、図４、図７および図８に示すように、横長長方形のセット盤部５０と一体に成形した皿本体５１と、横長ラウンド形状の外郭体５２等、帯電防止剤入りのＡＢＳ材等から成形した複数の樹脂成形部材を組み合わせてユニット化され、前記セット盤部５０の裏側に取着した上・下の連結金具５３,５４を中枠Ｂの左端に固定した上・下の連結金具４２,４３に係合させることで、該中枠Ｂにおける窓枠口２１の内側下部(遊技補助盤３１の前側)に着脱および横開きが可能に組付けられる。また前記セット盤部５０の裏側には、前記第３ロック金具３０が係脱可能に係止する上球皿鍵受金具５５、不正行為を目的とした異物侵入阻止を図る防犯金属板５６および球送り装置Ｇ等が配設されている。また前記皿本体５１の球受面には、貯留球の円滑な流動を図るための球流し金具５７が敷設されている。そして前記中枠Ｂに閉成した際には、前記遊技補助盤３１の前側に整合すると共に、前記下球皿Ｅにおける外郭体４７の上面に載置された状態で整合セットされ、また前記第３ロック金具３０と上球皿鍵受金具５５とが係合する。なお前記球送り装置Ｇの樹脂ケースは、導電性カーボン質材料を複合化したＡＢＳ材等から一体成形されて導電性を有している。
【００１９】
(前枠)
前記前枠Ｃは、図４、図７および図１０に示すように、略正方形で内側に遊技盤透視用の開口部６１を開設した枠本体６０と、この枠本体６０の前面に対して前記開口部６１を囲繞するように装着される化粧部材６２およびランプレンズ６３、前記枠本体６０の前面上縁に装着されるトップレンズ６４等、帯電防止剤入りのＡＢＳ材等から成形した複数の樹脂成形部材を組み合わせてユニット化されている。そして、前記枠本体６０の裏側に取着した上・下の連結金具６５,６６を、前記中枠Ｂの左端に固定した上・下の連結金具４０,４１に夫々係合させることで、該中枠Ｂにおける窓枠口２１に着脱および横開きが可能に組付けられる。また前記枠本体６０の裏側には、ガラス板６７を保持する金属製のガラス枠６８、前記第２ロック金具２９が係脱可能に係止する補強部材兼用の上・下の前枠鍵受金具６９,７０、開閉支点側の補強を図る補強金具７１、不正行為防止を図るアンダーガード金具７２等がビス固定されている。なお前記トップレンズ６４は、本体部表面にメッキ処理が施されて導電性を有している。このような前枠Ｃは、前記中枠Ｂに閉成した際に前記セット口２３の前側に整合すると共に、前記第２ロック金具２９,２９と前枠鍵受金具６９,７０とが係合する。
【００２０】
(遊技盤)
前記遊技盤Ｉは、図１１〜図１３に示すように、セル板７５と合板７６との間にカーボン紙７７を挟んだサンドイッチ構造とされ、前記合板７６に打込まれた金属製の遊技釘７８および金属製の案内レール７９固定用の固定釘は、前記カーボン紙７７に接触して電気的な導通が図られている。また、図柄表示装置(図示せず)やアタッカー入賞装置８３に付属される装飾部材８０,８１は、メッキ処理が施されて導電性を有しており、装飾部材８０,８１を遊技盤Ｉに取付けるための取付ビスを介して前記カーボン紙７７と電気的な導通が図られている。従って、前記各遊技釘７８、案内レール７９、各装飾部材８０,８１等は、前記カーボン紙７７を介して電気的な導通が図られ、かつ後述するように、前記各装飾部材８０,８１は第８〜第１０アース線(導電部材)１５８,１５９,１６０を介して電源基板１３１と電気的な導通が図られている。なお、前記アタッカー入賞装置８３の開閉扉８４、風車８５、左側・右側の各コーナー化粧部材８６,８６および裏樋部材８７等は、帯電防止剤入りのＡＢＳ材等から成形されている。
【００２１】
(機構セット盤)
前記機構セット盤Ｈは、図１および図１４に示すように、前記本体９０が上本体９０Ａおよび下本体９０Ｂからなる上下連結タイプとされ、これら上本体９０Ａおよび下本体９０Ｂは帯電防止剤入りのＡＢＳ材から成形されている。このうち上本体９０Ａは、主に前述した球貯留排出経路部９１の構成基盤とされて該経路部９１の一部が一体的に形成されていると共に、前記ターミナル基板１２１用の設置部９２が右上に形成されている。そして、前記球貯留排出経路部９１を構成する前記球容器９３はカーボンチップ入りのＰＰ材、球整流路９４を形成する球整流路部材９５はカーボンファイバー入りのポリカーボネート(以下「ＰＣ」)材、球送出路９６を形成する球送出路部材９７,９７はカーボンファイバー入りのＡＢＳ材、球抜きユニット９８はカーボンファイバー入りのＡＢＳ材から成形され、夫々の部材が導電性を有している。また、カバー板９９および球ならし１００,１００は、カーボンチップ入りのＡＢＳ材から成形されて夫々導電性を有し、球容器９３に付属される貯留球検知器１０１のケース部材１０１Ａおよび各検知レバー１０１Ｂ,１０１Ｂは帯電防止剤入りのＰＣ材、スプロケットカバー１０２は帯電防止剤入りのＡＢＳ材から夫々成形されている。一方、前記ターミナル基板１２１用のカバー部材１０３は、帯電防止剤入りのＡＢＳ材から成形されている。なお上本体９０Ａにおいて、前記球整流路９４に臨む部位には、該球整流路９４に沿って延在する横長形状の金属板１０４が取着されている。
【００２２】
また前記下本体９０Ｂは、球払出路１０５の構成基盤とされて該払出路１０５の一部が一体的に形成されていると共に、前記第１および第２球払出装置Ｊ１,Ｊ２、前記主制御装置１２２、払出制御装置１２３、電源分配基板１２４およびインターフェースボード１２５の設置基盤を兼用している。前記球払出路１０５は、下本体９０Ｂの背面側(図１４において手前側)に設けられて前記第１および第２球払出装置Ｊ１,Ｊ２の下方から前記球給出口３２に整合する球通口１０８まで延在する上球払出路１０６と、下本体９０Ｂの前面側(図１４において裏側)に設けられて前記球通口１０８から下球皿Ｅまで延在する下球払出路１０７とからなり(図５)、前記上球払出路１０６下流の前記球通口１０８に臨む部位に球受部材１１１が装着されると共に、球案内部材１１９を組付けた球払出路部材１０９が上球払出路１０６に臨むように装着される一方、裏金属板１１０が下球払出路１０７に臨むように装着されるようになっている。そして、球払出路部材１０９はカーボンチップ入りのＡＢＳ材、球案内部材１１９および球受部材１１１は夫々がカーボンチップ入りのＰＰ材から成形され、夫々の部材１０９,１１９,１１１が導電性を有している。また、満タンレバー１１３および満タンスイッチホルダ１１４はＰＯＭ(ポリアセタール)から成形され、セーフ球払出装置を覆蓋するカバー板１１５は帯電防止剤入りのＰＣ材から成形されている。更に、前記電源分配基板１２４用の基板ベース部材１１２は帯電防止剤入りのＡＢＳ材、インターフェースボード１２５のボードケース１１８は帯電防止剤入りのＰＣから成形されている。一方、前記第１球払出装置Ｊ１および第２球払出装置Ｊ２は基本的に同タイプのものが実施され、両装置Ｊ１,Ｊ２のケース部材は、カーボンチップ入りのＰＣ材から成形されて導電性を有している。
【００２３】
次に、本実施例のパチンコ遊技機Ｐにおける静電気のアース技術につき包括的に説明する。本実施例のパチンコ遊技機Ｐは、前述したように、中枠Ｂ、前枠Ｃ、上球皿Ｄ、下球皿Ｅ、遊技盤Ｉ、機構セット盤Ｈ等の構成部材と、これら各構成部材Ｂ,Ｃ,Ｄ,Ｅ,Ｉ,Ｈに配設される各種の付属部材・部品とを、導電剤入りの合成樹脂材および／または帯電防止剤入りの合成樹脂材から成形する一方、これら各構成部材および付属部材・部品を、成形金具や金属板およびアース線等の導電部材を介して、裏カバー部材１２０に設置した前記電源基板１３１へ集約的に接続するように構成されている。
【００２４】
(中枠のアース態様)
前記中枠Ｂは、前述したように、導電剤入りのＡＢＳ材から全体が一体成形されているので該中枠Ｂ全体が導電性を有しており、また遊技補助盤３１の裏側に取着される前記裏当て板３８も導電性を有している。このもとで実施例の中枠Ｂは、図２および図１６に示すように、前記枠体２０の背面右下部位に、前記電源基板１３１の第１アース用コネクタ１４０に差込接続される第１コネクタ１４２に端部接続された第６アース線(導電部材)１５６の他端が端部接続され、この第１コネクタ１４２を前記第１アース用コネクタ１４０に差込接続することで、中枠Ｂと第１アース用コネクタ１４０の１番ピン１４０ａとの電気的な導通が図られて、該中枠Ｂに帯電された静電気は第６アース線１５６を介して前記１番ピン１４０ａへ流れるようになっている。一方、中枠Ｂの背面に取着された前記裏当て板３８の右下部位に、前記インターフェースボード１２５におけるコネクタ１４５の１番ピンに端部接続される第７アース線１５７の他端が端部接続され、前記中枠Ｂに帯電された静電気の一部がこの第７アース線１５７およびインターフェースボード１２５を介して前記球貸しユニットＫへ流れるようになり、当該パチンコ遊技機Ｐと球貸しユニットＫ間の電位が同一となるように考慮されている。
【００２５】
(前枠のアース態様)
前記前枠Ｃでは、図１０および図１６に示すように、前記上の前枠鍵受金具６９と上の連結金具６５とが第１アース線(導電部材)１５１で電気的な導通が図られる一方、メッキ処理された前記トップレンズ６４と上の連結金具６５とが第２アース線(導電部材)１５２で電気的な導通が図られている。一方、下の前枠鍵受金具７０とアンダーガード金具７２、該アンダーガード金具７２とガラス枠６８、上の連結金具６５と補強金具７１、該補強金具７１と下の連結金具６６は、夫々が接触した状態でビス固定され、これにより夫々の部材同士の電気的な導通が図られている。また前記ガラス枠６８は、前記上の連結金具６５および下の連結金具６６に対して枢支されているので、これらガラス枠６８と両連結金具６５,６６との電気的な導通も図られている。これにより、前記上下の前枠鍵受金具６９,７０、トップレンズ６４、アンダーガード金具７２、ガラス枠６８および補強金具７１は、前記中枠Ｂに固定された上・下の連結金具４０,４１を介して、常には該中枠Ｂとの電気的な導通が図られている。なお、前枠Ｃが中枠Ｂに閉成ロックされた際には、前記上・下の前枠鍵受金具６９,７０が前記中枠Ｂに支持した前記第２ロック金具２９,２９に係合して接触するので、この第２ロック金具２９,２９を介して両鍵受金具６９,７０と中枠Ｂとの電気的な導通も図られる。
【００２６】
(上球皿のアース態様)
前記上球皿Ｄでは、図７および図１６に示すように、前記上球皿鍵受金具５５と前記防犯金属板５６、該防犯金属板５６と前記球流し金具５７、前記防犯金属板５６と前記球送り装置Ｇ、前記防犯金属板５６と前記上の連結金具５３とが、夫々接触した状態でビス固定されており、これにより夫々の部材同士の電気的な導通が図られている。これにより、上球皿鍵受金具５５、防犯金属板５６、球送り装置Ｇ、球流し金具５７、上の連結金具５３は、中枠Ｂに固定された上の連結金具４２を介して、常には該中枠Ｂとの電気的な導通が図られている。なお上の連結金具４２は、前記前枠Ｃ用の下の連結金具４１と一体的に形成されているので、両連結金具４１,４２同士の電気的な導通も図られている。一方、上球皿Ｄが中枠Ｂに閉成された際には、前記上球皿鍵受金具５５が前記中枠Ｂに支持した前記第３ロック金具３０に係合して接触するので、この第３ロック金具３０を介して上球皿鍵受金具５５と中枠Ｂとの電気的な導通も図られる。
【００２７】
(機構セット盤のアース態様)
前記機構セット盤Ｈでは、図１〜図３および図１６に示すように、前記球容器９３の左端部位と、前記中枠Ｂにおける枠体２０の右縁前面側に設置された施錠装置Ｌにおける第１ロック金具２８の所要部位とが、第４アース線(導電部材)１５４を介して電気的な導通が図られ、球容器９３に帯電した静電気は第４アース線１５４および第１ロック金具２８を介して前記中枠Ｂへ流れるようになっている。また、球整流路部材９５に整合するように上本体９０Ａに取着された前記金属板１０４の左端部に、前記第１コネクタ１４２に端部接続された第５アース線(導電部材)１５５の他端が端部接続され、この第１コネクタ１４２を前記第１アース用コネクタ１４０に差込接続することで、金属板１０４と第１アース用コネクタ１４０の２番ピン１４０ｂとの電気的な導通が図られて、該金属板１０４に帯電された静電気は第５アース線１５５を介して前記２番ピン１４０ｂへ流れるようになっている。
【００２８】
一方、前記球整流路部材９５の右端部位と前記球送出路部材９７とが第１接続金具１６１により電気的な導通が図られ、この球送出路部材９７と前記球抜きユニット９８とが第２接続金具１６２により電気的な導通が図られ、また球抜きユニット９８と前記第１および第２球払出装置Ｊ１,Ｊ２とが第３接続金具１６３により電気的な導通が図られている。更に、前記第１および第２球払出装置Ｊ１,Ｊ２と球払出路部材１０９に組付けた球案内部材１１９とが、第４接続金具１６４により電気的な導通が図られている。なお、前記第２接続金具１６２は、導電性を有する金属製の中継端子板１６５に接触していると共に、該中継端子板１６５には、前記第１コネクタ１４２に端部接続された第３アース線(導電部材)１５３の他端が端部接続され、この第１コネクタ１４２を前記第１アース用コネクタ１４０に差込接続することで、中継端子板１６５と第１アース用コネクタ１４０の３番ピン１４０ｃとの電気的な導通が図られる。従って、導電性を有する球整流路部材９５、球送出路部材９７、球抜きユニット９８、第１および第２球払出装置Ｊ１,Ｊ２、球案内部材１１９および球払出路部材１０９に帯電された静電気は、前記第１〜第４接続金具１６１,１６２,１６３,１６４、中継端子板１６５および第３アース線１５３を介して前記３番ピン１４０ｃへ流れるようになっている。
【００２９】
更に、下球払出路１０７の壁部を構成する前記裏金属板１１０は、機構セット盤Ｈを前記中枠Ｂ(保持枠２２)に取着した際に、前記裏当て板３８に接触するようになっており、従って該裏金属板１１０と中枠Ｂとの電気的な導通が図られている。これにより、前記裏金属板１１０に帯電した静電気は、裏当て板３８および中枠Ｂへ流れた後、前記前記第６アース線１５６を介して第１アース用コネクタ１４０の１番ピン１４０ａへ流れるようになっている。
【００３０】
(遊技盤のアース態様)
前記遊技盤Ｉでは、図１２および図１６に示すように、図柄表示装置用の装飾部材８０と導電性を有するカーボン製の中継端子板１６６とが第８アース線１５８で接続される一方、前記アタッカー入賞装置８３用の装飾部材８１と前記中継端子板１６６とが第９アース線１５９で接続され、更に中継端子板１６６には、前記電源基板１３１の第２アース用コネクタ１４１に差込接続される第２コネクタ１４３に端部接続された第１０アース線１６０の他端が端部接続されている。従って、前記第２コネクタ１４３を前記第２アース用コネクタ１４１に差込接続することで、遊技盤Ｉと第２アース用コネクタ１４１の１番ピン１４１ａとの電気的な導通が図られ、該遊技盤Ｉに帯電された静電気は第１０アース線１６０を介して前記１番ピン１４１ａへ流れるようになっている。なお、遊技盤Ｉのアース系統を、前記中枠Ｂや機構セット盤Ｈとのアース系統と分離して設けてあるのは、当該遊技盤Ｉの交換時の接続作業の利便性を考慮したためである。
【００３１】
そして本実施例のアース態様では、前述したように、前記球容器９３と球整流路部材９５との電気的な導通は図らず、球容器９３に帯電された静電気と球整流路部材９５に帯電した静電気を個別にアースするようになっている。この理由としては、▲１▼パチンコ遊技機Ｐの外部で発生した外部静電気と、当該パチンコ遊技機Ｐ内で発生した内部静電気の差別化を図る、▲２▼外部(球補給設備)から補給されるパチンコ球がどの程度の外部静電気を帯電しているか予測不可能である、こと等が挙げられる。このうち前記▲１▼の理由に関しては、パチンコ遊技機Ｐに作用する静電気として、(ａ)パチンコ球が球補給設備内を移動するに際して発生して該パチンコ球に帯電した外部静電気と、(ｂ)当該パチンコ遊技機Ｐへ補給された後に、パチンコ球が遊技機Ｐ内を移動するに際して発生して該パチンコ球に帯電した内部静電気と、に便宜上区分されるから、基本的に外部静電気は機外へアースし、内部静電気は当該遊技機の電源(ＡＣ２４Ｖ)へアースするためである。また前記▲２▼の理由に関しては、前記球容器９３と前記電源基板１３１とをアース線で直接的に導通を図る構成とした場合、球補給設備から球容器９３に補給されるパチンコ球が多量の外部静電気を帯電していた際には、該アース線を介して電源基板１３１へ過電流が一気に流れてしまうと共にこれによる複写ノイズが発生する不都合があるから、球補給設備から補給されるパチンコ球に帯電した外部静電気は、第４アース線１５４を介して球容器９３から抵抗値の大きな前記中枠Ｂへ一旦流した後に、前記電源基板１３１へ徐々にアースするためである。
【００３２】
(電源基板)
前記裏カバー部材１２０に配置された前記電源基板１３１は、図１,図１７(ａ)および図１７(ｂ)に示すように、基板ケース１３２に収容されて遊技機裏側の略中央部に位置し、前記主制御装置１２２のメイン基板、前記払出制御装置１２３の払出制御基板、前記発射制御装置１２６の発射制御基板、図柄表示装置を制御する図柄表示制御装置(図示せず)の図柄表示制御基板、遊技内容に応じた音声を制御する音声制御装置１２７の音声制御基板、電源分配基板１２４の夫々に電源を供給するもので、各基板毎に異なる複数の電源を生成するようになっている。この電源基板１３１には、図１７に示すように、その右上部に電源プラグ１３３が設けられて、該電源プラグ１３３に外部電源に接続される電源コード１３４が接続され、該電源基板１３１に例えばＡＣ２４Ｖの電源が供給されるようになっており、電源プラグ１３３の下方に配設された電源スイッチ１３５のＯＮ−ＯＦＦ操作によって電源の入・切が行なわれる。また電源基板１３１の下部側には、メイン基板用のコネクタ１３６、ランプ制御基板用のコネクタ１３７、図柄表示制御基板用のコネクタ１３８、音声制御基板用のコネクタ１３９、払出制御基板用のコネクタ１４６および電源分配基板１２４用のコネクタ１４７が、左側から順に配設されている。なお前記球貸しユニットＫには、通信に必要なＡＣ２４Ｖの電源が、電源基板１３１から電源分配基板１２４およびインターフェースボード１２５を介して供給されるようになっている。
【００３３】
そして前記電源基板１３１の下部右側には、１番〜３番ピン１４０ａ,１４０ｂ,１４０ｃを有して、第３アース線１５３、第５アース線１５５および第６アース線１５６を一纏めにした前記第１コネクタ１４２が差込接続される第１アース用コネクタ１４０と、１番ピン１４１ａを有して、前記第１０アース線１６０の端部に設けた第２コネクタ１４３が接続される第２アース用コネクタ１４１が配設されている。すなわち、前記第１コネクタ１４２を前記第１アース用コネクタ１４０へ差込接続した際には、前記第６アース線１５６が１番ピン１４０ａに接続され、前記第５アース線１５５が２番ピン１４０ｂに接続され、前記第３アース線１５３が３番ピン１４０ｃに接続される(図１６)。一方、前記第２コネクタ１４３を前記第２アース用コネクタ１４１へ差込接続した際には、前記第１０アース線１６０が１番ピン１４１ａへ接続される(図１６)。
【００３４】
ここで実施例の電源基板１３１では、図１８に示すように、当該パチンコ遊技機Ｐに帯電した静電気を２系統に分けてアースするようになっている。すなわち、前記第１アース用コネクタ１４０の１番ピン１４０ａは、前記電源コード１３４に付属の外部アース線１４４が接続する前記電源プラグ１３３の３番ピン１３３ａに接続されており、前述したように、機外(外部)から補給されるパチンコ球に帯電した外部静電気を、球容器９３→第４アース線１５４→中枠Ｂ→前記第６アース線１５６を介して電源基板１３１へ流した後、外部アース線１４４を介して再び機外(島設備等)へアースする。一方、第１アース用コネクタ１４０の２番ピン１４０ｂと３番ピン１４０ｃ、第２アース用コネクタ１４１の１番ピン１４１ａは、夫々が一つに集約された後に当該パチンコ遊技機Ｐの電源(ＡＣ２４Ｖ)側と接続されており、前述したように、当該パチンコ遊技機Ｐ内で発生した内部静電気を、前記第５アース線１５５(球整流路９４に設置した金属板１０４)、第３アース線１５３(球送出路部材９７、球抜きユニット９８、球払出装置Ｊ１,Ｊ２、球払出路部材１０９、球案内部材１１９等)、第１０アース線１６０(遊技盤Ｉ)を介して電源基板１３１へ流した後、基本的には電源(ＡＣ２４Ｖ)側へアースする。
【００３５】
【実施例の作用】
次に、前述のように構成された本実施例に係るパチンコ遊技機の作用につき説明する。
【００３６】
(パチンコ遊技における球通出形態)
本実施例のパチンコ遊技機Ｐでは、前述したように、遊技ホール内の設置枠台(「島設備」)に縦向きの姿勢で設置した後、機外の球補給設備(図示せず)から球貯留排出経路部９１における前記球容器９３内へパチンコ球が供給され、パチンコ球は球容器９３から球整流路９４および球送出路９６を介して第１および第２球払出装置Ｊ１,Ｊ２まで到来し、貯留球として該球貯留排出経路部９１内へ貯留される。貯留球が正常に貯留された状態において、当該パチンコ遊技機Ｐでのパチンコ遊技に先立ち、遊技者が貸球用カードおよび前記球貸しユニットＫを利用して適正な球貸し操作をした場合には、この操作に応答して第１球払出装置Ｊ１が作動制御されることにより、球貯留排出経路部９１内の所定数の貯留球が貸球として、上球払出路１０６、球通口１０８、開口部４４、球給出口３２を介して前記上球皿Ｄ側へ給出される。
【００３７】
そして、遊技者が前記打球発射装置Ｆにより所要の打球操作を行なった際には、前記上球皿Ｄに給出された貸球が遊技球として前記球送り装置Ｇを経て発射レール３６の発射位置へ順次供給され、打球発射装置Ｆの打球動作に基づいて各遊技球は前記遊技盤Ｉの遊技領域７４内へ打出される。ここで、前記遊技盤Ｉ内でパチンコゲームが展開されている途中で入賞球が発生した場合には、これに応答して前記第２球払出装置Ｊ２が作動制御されることにより、所定数の貯留球が賞球として、前記上球払出路１０６を介して前記上球皿Ｄ側へ給出され、該上球皿Ｄが満杯となった後には下球払出路１０７を介して下球皿Ｅ側へ給出される。
【００３８】
(外部静電気に関して)
ここで、前記球補給設備から補給される各パチンコ球が外部静電気を帯電していた場合には、前記球貯留排出経路部９１における前記球容器９３内へ当該パチンコ球が供給されて該球容器９３に接触した時点で、パチンコ球に帯電した外部静電気は、該球容器９３→第４アース線１５４→施錠装置Ｌの後鍵ベース２７→中枠Ｂと流れた後、その殆どは第６アース線１５６を介して電源基板１３１へ流れ、該電源基板１３１から外部アース線１４４を介して機外(島設備等)へアースされる。すなわち外部静電気は、パチンコ球の入口部位である球容器９３から電源基板１３１の側へ流されて機外へアースし得る。なお、中枠Ｂに流れた静電気の一部は、裏当て板３８から第７アース線１５７および前記インターフェースボード１２５を介して球貸しユニットＫへ流れ、当該遊技機Ｐと球貸しユニットＫとの電位統一のために供される。
【００３９】
(内部静電気に関して)
前記球容器９３との接触により外部静電気を殆ど除去されたパチンコ球は、貯留球として該球容器９３から球整流路９４内へ流入した後、球送出路９６、球抜きユニット９８を経て球払出装置Ｊ１,Ｊ２へ到来する。ここで、球整流路９４内を移動するに際し、パチンコ球同士の接触および球整流路部材９５との接触等により発生した内部静電気は、その一部が前記金属板１０４から前記第５アース線１５５を介して電源基板１３１へ流れ、該電源基板１３１から電源(ＡＣ２４Ｖ)側へアースされる。一方、残りの静電気は、前記球整流路部材９５→第１接続金具１６１→球送出路部材９７→第２接続金具１６２→中継端子板１６５へ流れた後に第３アース線１５３を介して前記電源基板１３１へ流れ、該電源基板１３１から電源(ＡＣ２４Ｖ)側へアースされる。但し、全ての静電気が、何れか１つの経路を介して電源基板１３１へ集中的に流れ、該電源基板１３１から電源(ＡＣ２４Ｖ)側へアースされることもある。更には、帯電防止材から空中放電されるものもある。
【００４０】
また、パチンコ球が球送出路９６内を移動するに際し、パチンコ球同士の接触および球送出路部材９７との接触等により発生した内部静電気は、該球送出路部材９７→第２接続金具１６２→中継端子板１６５へ流れた後に第３アース線１５３を介して前記電源基板１３１へ流れ、該電源基板１３１から電源(ＡＣ２４Ｖ)側へアースされる。一方、パチンコ球が球抜きユニット９８内を移動するに際し、パチンコ球同士の接触および球抜きユニット９８との接触等により発生した内部静電気は、該球抜きユニット９８→第２接続金具１６２→中継端子板１６５へ流れた後に第３アース線１５３を介して前記電源基板１３１へ流れ、該電源基板１３１から電源(ＡＣ２４Ｖ)側へアースされる。
【００４１】
更に、パチンコ球が前記第１または第２球払出装置Ｊ１,Ｊ２を通過するに際し、パチンコ球同士の接触および球払出装置Ｊ１,Ｊ２のケースとの接触等により発生した内部静電気は、球払出装置Ｊ１,Ｊ２→第３接続金具→球抜きユニット９８→第２接続金具１６２→中継端子板１６５へ流れた後に第３アース線１５３を介して前記電源基板１３１へ流れ、該電源基板１３１から電源(ＡＣ２４Ｖ)側へアースされる。また更に、前記第１または第２球払出装置Ｊ１,Ｊ２から払出された貸球または賞球としてのパチンコ球が球払出路１０５の上球払出路１０６内を通出するに際し、パチンコ球同士の接触や球案内部材１１９および球払出路部材１０９との接触等により発生した内部静電気は、該球払出路部材１０９→球案内部材１１９→第４接続金具１６４→球払出装置Ｊ１,Ｊ２→第３接続金具１６３→球抜きユニット９８→第２接続金具１６２→中継端子板１６５へと流れた後に第３アース線１５３を介して前記電源基板１３１へ流れ、該電源基板１３１から電源(ＡＣ２４Ｖ)側へアースされる。
【００４２】
前記球払出装置Ｊ１,Ｊ２から球払出路１０５へ払出されたパチンコ球は、前記球通口１０８、開口部４４および球給出口３２を通って上球皿Ｄの皿本体５１内へ通出案内され、遊技球として該上球皿Ｄへ一旦貯留される。ここで、パチンコ球が前記上球皿Ｄ内を移動するに際し、パチンコ球同士の接触および皿本体５１との接触等により発生した内部静電気は、前記球流し金具５７から防犯金属板５６へ流れ、その一部は該防犯金属板５６→上球皿鍵受金具５５→第３ロック金具３０→中枠Ｂと流れた後に第６アース線１５６を介して電源基板１３１へ流れ、該電源基板１３１から外部アース線１４４を介して機外へアースされる。また、球流し金具５７から防犯金属板５６へ流れた残りの静電気は、該防犯金属板５６→上の連結金具５３→中枠Ｂと流れた後に第６アース線１５６を介して電源基板１３１へ流れ、同様に該電源基板１３１から外部アース線１４４を介して機外へアースされる。一方、前記上球皿Ｄから移動したパチンコ球(遊技球が)球送り装置Ｇを通過するに際し、パチンコ球同士の接触および該球送り装置Ｇとの接触等により発生した内部静電気は、前記防犯金属板５６→前記上球皿鍵受金具５５または上の連結金具５３→中枠Ｂと流れた後に第６アース線１５６を介して電源基板１３１へ流れ、同様に該電源基板１３１から外部アース線１４４を介して機外へアースされる。但し、全ての静電気が、何れか１つの経路を介して電源基板１３１へ集中的に流れ、該電源基板１３１から電源(ＡＣ２４Ｖ)側へアースされることもある。更には、帯電防止材から空中放電されるものもある。
【００４３】
そして、前記球送り装置Ｇおよび前記打球発射装置Ｆの協動によりパチンコ球(遊技球)が発射レール３６上を飛翔するに際し、パチンコ球と発射レール３６との接触等により発生した内部静電気は、該発射レール３６→遊技補助盤３１→中枠Ｂと流れた後に第６アース線１５６を介して電源基板１３１へ流れ、該電源基板１３１から外部アース線１４４を介して機外へアースされる。
【００４４】
遊技盤Ｉへ打出されたパチンコ球(遊技球)が案内レール７９に接触したり、遊技領域７４内を落下するに際して遊技釘７８に接触すること等により発生した内部静電気は、前記カーボン紙７７→装飾部材８０→前記第８アース線１５８、または装飾部材８１→第９アース線１５９へ流れた後に第１０アース線１６０を介して電源基板１３１へ流れ、該電源基板１３１から電源(ＡＣ２４Ｖ)側へアースされる。
【００４５】
一方、前記遊技盤Ｉの遊技領域７４内を落下するパチンコ球により発生した内部静電気が前記前枠Ｃの側へ移動した場合は、そのうちの一部の静電気は、前記ガラス枠６８→上・下の各連結金具６９,７０→中枠Ｂへ流れた後に第６アース線１５６を介して電源基板１３１へ流れ、該電源基板１３１から外部アース線１４４を介して機外へアースされる。一方、残りの静電気は、前記上の前枠鍵受金具６９および下の前枠鍵受金具７０→第２ロック金具２９→中枠Ｂへ流れた後に第６アース線１５６を介して電源基板１３１へ流れ、同じく該電源基板１３１から外部アース線１４４を介して機外へアースされる。但し、全ての静電気が、何れか１つの経路を介して電源基板１３１へ集中的に流れ、該電源基板１３１から電源(ＡＣ２４Ｖ)側へアースされることもある。更には、帯電防止材から空中放電されるものもある。
【００４６】
そして、パチンコゲームの展開中に入賞球(セーフ球)が発生した場合、これに基づいて前記第２球払出装置Ｊ２が作動して賞球としてのパチンコ球が払出され、払出された該パチンコ球は、前記同様に上球払出路１０６、球通口１０８、開口部４４および球給出口３２を通って前記上球皿Ｄ側へ給出される。なお、上球皿Ｄの皿本体５１内に貯留球が満杯となった後には、この後に払出されるパチンコ球は、球払出路１０５における下球払出路１０７を通り、球給出口２５を介して下球皿Ｅの皿本体４６側へ給出される。そして、パチンコ球が球払出路１０５の下球払出路１０７内を通出するに際し、パチンコ球同士の接触および球払出路部材１０９との接触等により発生した内部静電気は、前記裏金属板１１０→裏当て板３８→中枠Ｂと流れた後に第６アース線１５６を介して前記電源基板１３１へ流れて、該電源基板１３１から外部アース線１４４を介して機外へアースされる。
【００４７】
このように本実施例のパチンコ遊技機Ｐでは、該遊技機Ｐを構成する中枠Ｂ、前枠Ｃ、上球皿Ｄ、下球皿Ｅ、遊技盤Ｉ、機構セット盤Ｈ等の構成部材と、これら各構成部材Ｂ,Ｃ,Ｄ,Ｅ,Ｉ,Ｈに配設される各種の付属部材や部品を、導電剤入りの合成樹脂材および／または帯電防止剤入りの合成樹脂材から成形する一方、これら各部材を成形金具や金属板およびアース線等の導電性を有する部材を介して、裏カバー部材１２０に設置した前記電源基板１３１へ集約的に接続し、該電源基板１３１から機外または当該遊技機Ｐの電源(ＡＣ２４Ｖ)へアースするように構成されている。殊に、球補給設備から補給されるパチンコ球が帯電している外部静電気は基本的に外部(島設備等)へアースする一方、当該パチンコ遊技機Ｐ内で発生した内部静電気は当該遊技機Ｐの電源(ＡＣ２４Ｖ)または外部へ適宜アースするようになるから、前記各構成部材Ｂ,Ｃ,Ｄ,Ｅ,Ｉ,Ｈおよび付属部材・部品に静電気が帯電することを好適に防止して効率的なアース対策を図ることが可能となり、これにより静電気を原因としたノイズ発生およびこれにより機器の誤動作、故障等を好適に回避し得る。
【００４８】
また本実施例のパチンコ遊技機Ｐでは、前記中枠Ｂ、前枠Ｃ、上球皿Ｄ、下球皿Ｅ、遊技盤Ｉ、機構セット盤Ｈ等の構成部材や、これら各部材Ｂ,Ｃ,Ｄ,Ｅ,Ｉ,Ｈに配設される各種の付属部材・部品を製作するに際し、帯電防止剤入りの合成樹脂材と導電剤入りの合成樹脂材とを適度に使い分けることにより、効率的なアース対策が実施されていると共に、コスト低減が好適に図られている。殊に、前枠Ｃ、上球皿Ｄ、下球皿Ｅ、遊技盤Ｉおよび機構セット盤Ｈの搭載枠ともされ、かつ遊技機において最も大型の構成部品とされる前記中枠Ｂを導電剤入りの合成樹脂材から成形することにより、極めて効率的なアース対策が可能となっている。
【００４９】
なお本実施例では、基本的に、パチンコ遊技機Ｐを構成する略全ての構成部材および部品を、導電剤入りの合成樹脂材または帯電防止剤入りの合成樹脂材および導電性を有する金属部品から形成した場合を例示したが、製造コスト、成形性、質感、材質等の様々なファクターを考慮した場合、少なくとも前記パチンコ球が接触する部位に配設された構成部材および付属部材・部品を、導電材および／または帯電防止剤入りの合成樹脂材から形成するようにしてもよい。
【００５０】
また導電剤および帯電防止剤は、現在広く知られて実施に供されているものが使用される。
【００５１】
また、前記各金属部品および第１〜第１０アース線によるアース系統は、実施例の形態に限定されるものではなく、パチンコ遊技機Ｐ全体の静電気を効率的かつ適切にアースし得れば、これ以外のアース系統に構成してもよいことは勿論である。
【００５２】
また前記実施例では、外部(島設備等)へのアースと、当該遊技機Ｐの電源(ＡＣ２４Ｖ)へのアースとの２系統に区分したが、全ての静電気を機外(外部)へアースするように構成してもよいし、また全ての静電気を当該遊技機Ｐの電源(ＡＣ２４Ｖ)へアースするようにしてもよい。
【００５３】
【発明の効果】
以上説明した如く、本発明に係るパチンコ遊技機によれば、中枠を導電剤入りの合成樹脂材から一体成形して、当該遊技機の電源基板(アース部)と該中枠とを電気的に導通させたことで、中枠に帯電した静電気を、該電源基板を介して遊技機の外部または電源(ＡＣ２４Ｖ)へ放電させ得る。
このもとで、機構セット盤に配設された球容器を導電剤入りの合成樹脂材により形成して、施錠装置および導電部材を介して該球容器と中枠とを電気的に導通することで、機外の球補給設備から球容器へ補給されるパチンコ球が帯電していた静電気を、中枠を通して電源基板へゆっくりと放電させることができ、複写ノイズの発生等を防止し得る。
そして、中枠における左端の上下に離間する位置に連結金具を固定すると共に、前枠における合成樹脂製の枠本体に取付けた上・下の連結金具を中枠における上・下の連結金具に係合して上・下の連結金具が中枠に対して電気的に導通するよう構成すると共に、該上・下の連結金具にガラス板を保持した金属製のガラス枠を枢支して、両連結金具とガラス枠とを電気的に導通することで、これら枠本体、両連結金具およびガラス枠に帯電した静電気を、中枠を通して電源基板へゆっくりと放電させることができ、複写ノイズの発生等を防止し得る。
また、上球皿に取付けた連結金具、鍵受金具、防犯金属板、球流し金具、球送り装置の樹脂ケースを相互連結すると共に、導電剤入りの合成樹脂材から一体成形された中枠を介して、該連結金具、鍵受金具、防犯金属板、球流し金具、球送り装置の樹脂ケースと電源基板(アース部)との電気的導通を図ったことで、機裏側の球払出装置から払出されたパチンコ球が静電気を帯電していた場合は、該パチンコ球が上球皿に給出された時点で該静電気を電源基板へ放電させる一方、球送り装置を通過する際に発生する静電気も、中枠を通してゆっくりと電源基板へ放電されるようになり、該静電気が一気に流れることによる複写ノイズの発生が抑制される。
更に、機構セット盤に配設した球整流路部材、球送出路部材、球払出装置のケース部材および球払出路部材を、導電部材を介して電源基板と電気的に導通させたことで、これら球整流路部材、球送出路部材、球払出装置のケース部材および球払出路部材内を通過するパチンコ球が帯電していた静電気を、電源基板へ放電させることができる等の有益な効果を奏する。
【図面の簡単な説明】
【図１】本発明の実施例に係るパチンコ遊技機の背面図である。
【図２】図１のＹ部拡大図である。
【図３】図１のＺ部拡大図である。
【図４】実施例のパチンコ遊技機の構成部材である外枠、中枠、前枠、上球皿、下球皿および付属部材の一部を分解状態で示す概略斜視図である。
【図５】中枠、裏当て板、裏金属板、機構セット盤における下本体を分解状態で示す概略斜視図である。
【図６】中枠と、該中枠の背面に取着される裏当て板を示す背面図である。
【図７】前枠および上球皿を開放した状態で示すパチンコ遊技機の正面図である。
【図８】背面側から見た上球皿の斜視図である。
【図９】背面側から見た下球皿の斜視図である。
【図１０】前枠の背面図である。
【図１１】遊技盤の正面図である。
【図１２】図１１に示した遊技盤の背面図である。
【図１３】セル板、合板およびカーボン紙から構成される遊技盤を分解して示す概略斜視図である。
【図１４】機構セット盤と、該機構セット盤に付属の各付属部材・部品を、分解した状態で示す概略斜視図である。
【図１５】機構セット盤に設けた球貯留排出経路部における球整流路、球送出路、球抜きユニットと球払出装置および球送出路の構成を示す説明図である。
【図１６】パチンコ遊技機に実施したアース対策の全体系統図である。
【図１７】電源基板の概略構成図である。
【図１８】電源基板におけるアース対応部分の概略構成図である。
【図１９】従来から実施されているパチンコ遊技機の正面図である。
【図２０】従来から実施されているパチンコ遊技機の背面図である。
【符号の説明】
２８  第１ロック金具
２９  施錠金具
３０  第３ロック金具(施錠金具)
３６  発射レール
４０  上の連結金具(前枠用の)
４１  下の連結金具(前枠用の)
４２  上の連結金具(上球皿用の)
５１  皿本体
５２  外郭体
５３  上の連結金具
５５  上球皿鍵受金具
５６  防犯金属板
５７  球流し金具
６０  枠本体
６２  化粧部材(樹脂成形部材)
６３  ランプレンズ(樹脂成形部材)
６４  トップレンズ(樹脂成形部材)
６５  上の連結金具
６６  下の連結金具
６８  ガラス枠
６９  上の前枠鍵受金具
７０  下の前枠鍵受金具
９３  球容器
９４  球整流路
９５  球整流路部材
９６  球送出路
９７  球送出路部材
１０９  球払出路部材
１１６  窓口
１２０  裏カバー部材
１３１  電源基板(アース部)
１４０ａ  ピン(外部アース線に接続するピン)
１４０ｃ  ピン(遊技機の電源側に接続するピン)
１４４  外部アース線
１５３  第３アース線(導電部材)
１５６  第６アース線(導電部材)
Ａ  外枠
Ｂ  中枠
Ｃ  前枠
Ｄ  上球皿
Ｇ  球送り装置
Ｈ  機構セット盤
Ｉ  遊技盤
Ｊ１  第１球払出装置(球払出装置)
Ｊ２  第２球払出装置(球払出装置)
Ｌ  施錠装置
Ｐ  パチンコ遊技機
【図１】
0004221692.tif 000002
【図２】
0004221692.tif 000003
【図３】
0004221692.tif 000004
【図４】
0004221692.tif 000005
【図５】
0004221692.tif 000006
【図６】
0004221692.tif 000007
【図７】
0004221692.tif 000008
【図８】
0004221692.tif 000009
【図９】
0004221692.tif 000010
【図１０】
0004221692.tif 000011
【図１１】
0004221692.tif 000012
【図１２】
0004221692.tif 000013
【図１３】
0004221692.tif 000014
【図１４】
0004221692.tif 000015
【図１５】
0004221692.tif 000016
【図１６】
0004221692.tif 000017
【図１７】
0004221692.tif 000018
【図１８】
0004221692.tif 000019
【図１９】
0004221692.tif 000020
【図２０】
0004221692.tif 000021